(57)【要約】      （修正有）【課題】特に濾過過程を観察できるフィルタ装置を提供する。【解決手段】第一蓋部材１０とタンク２０と強化枠３０と介在蓋部材４０と複数の固定棒５０と濾過芯材７０と第二蓋部材８０とを有し、該タンク２０は、中空状の管体であって第一蓋部材１０の上面に嵌め込まれ、該強化枠３０は、タンク２０の外周面に環装されるように第一蓋部材１０の上面に嵌め込まれて複数の観察穴３２が形成され、該介在蓋部材４０は、中空状の管体であってタンク２０及び強化枠３０の上面に組み合わされ、該複数の固定棒５０は、それぞれ一端が第一蓋部材１０に挿設されると共に他端が介在蓋部材４０に挿設されることによってタンク２０及び強化枠３０を強固に位置決め、該濾過芯材７０は、タンク２０に設置され、該第二蓋部材８０は、該介在蓋部材４０の上側に取り付けられ、タンク２０が透視可能な材質からなると共に、強化枠３０に観察穴３２が形成される。【選択図】図１
0003206916.tif 000002
【実用新案登録請求の範囲】
【請求項１】
上部に上開口が形成され、上面に円環状の結合凹部が凹設され、該上面の外周縁と該結合凹部との間に等間隔で環状に複数の第一固定穴が形成される、第一蓋部材と、
中空状の管体であり、その底周縁が前記結合凹部に嵌め込まれるタンクと、
前記タンクの外周面に環装され、その底周縁が前記結合凹部に嵌め込まれ、複数の観察穴を備える、強化枠と、
中空状の管体であり、前記タンク及び強化枠の上面に組み合わされ、外周面の上端に上凸縁が設けられると共に、外周面の底端に下凸縁が設けられ、該下凸縁の底面に、前記タンクの上周縁及び強化枠の上周縁が嵌め込まれる組合凹部が凹設され、それぞれ前記第一蓋部材の第一固定穴に対応するように、前記組合凹部と介在蓋部材の外周縁との間に等間隔で環状に複数の第二固定穴が形成される、介在蓋部材と、
それぞれ、一方が突出するように第一固定穴に貫設され、その突出した一端に第一蓋部材の底面からナットが螺嵌されると共に、他方が突出するように第二固定穴に貫設され、その突出した他端に介在蓋部材の下凸縁の上面からナットが螺嵌される、複数の固定棒と、
前記タンクに設置される濾過芯材と、
前記介在蓋部材の上凸縁に対応するように、前記介在蓋部材の上側に取り付けられる、第二蓋部材と、を有することを特徴とするフィルタ装置。
【請求項２】
前記第一蓋部材の結合凹部は、断面Ｕ字形を呈し、該結合凹部の周壁にシ−ルリングが嵌め込まれ、前記タンクの底周縁及び強化枠の底周縁が、シ−ルリングと密着するように結合凹部に嵌め込まれ、
前記介在蓋部材の組合凹部は、断面Ｕ字形を呈し、該組合凹部の内壁に密着するようにシールリングが嵌め込まれ、前記タンクの上周縁及び強化枠の上周縁が、シールリングと密着するように組合凹部に嵌め込まれることを特徴とする請求項１に記載のフィルタ装置。
【請求項３】
前記第二蓋部材が、介在蓋部材と一体に形成されることを特徴とする請求項１に記載のフィルタ装置。
【請求項４】
前記第二蓋部材が、介在蓋部材と一体に形成されることを特徴とする請求項２に記載のフィルタ装置。
【請求項５】
前記第二蓋部材が、間接的に介在蓋部材に取り付けられることを特徴とする請求項１に記載のフィルタ装置。
【請求項６】
前記第二蓋部材が、間接的に介在蓋部材に取り付けられることを特徴とする請求項２に記載のフィルタ装置。
【請求項７】
前記介在蓋部材の上凸縁の上面に接着凹部が、環状に凹設され、
前記介在蓋部材の上凸縁の外周縁近傍に複数の貫通穴が、それぞれ等間隔で環状に形成されることを特徴とする請求項１、請求項２、請求項５、請求項６の何れか１項に記載のフィルタ装置。
【請求項８】
前記介在蓋部材と第二蓋部材との間に装着板を設置するために、前記第二蓋部材が間接的に介在蓋部材に取り付けられ、
前記装着板は、複数の取付穴と、複数の装着穴と、位置決め部と、密着凹部と、密着リングを備え、そのうち、取付穴は、それぞれ、貫通穴と対応するように形成され、該複数の装着穴は、それぞれ、介在蓋部材の内周縁に囲まれた範囲内に形成され、該位置決め部は、装着板の底面に環状に凸設され、接着凹部に嵌め込まれ、該密着凹部は、装着板の上面の外周縁の近傍に環状に凹設され、該密着リングは、弾性を備え、一部が密着凹部に嵌め込まれると共に、他の一部が密着凹部から突出することを特徴とする請求項７に記載のフィルタ装置。
【請求項９】
前記濾過芯材は、それぞれ、一端を介して装着穴に取り付けられると共に、他端に第一蓋部材へ伸びる複数の濾過芯棒が設けられ、
前記第二蓋部材の下部に、前記複数の濾過芯棒の配置範囲よりも大きい下開口が形成され、該第二蓋部材の底縁は、密着リングに押圧されて装着板の上面に貼り付けられ、該第二蓋部材の外周縁の近傍における、取付穴と対応する位置に複数の結合穴が形成されることを特徴とする請求項７に記載のフィルタ装置。
【請求項１０】
複数のボルトを有し、該ボルトは、それぞれ、互いに対応する結合穴と取付穴と貫通穴に貫入され、その突出した下端にナットが、螺嵌されることを特徴とする請求項９に記載のフィルタ装置。
【考案の詳細な説明】
【技術分野】
【０００１】
本考案は、濾過過程を観察できるフィルタ装置に関するものである。
【背景技術】
【０００２】
従来の工場用フィルタ装置は、金属のタンクを用いて濾過芯材を内部に設置するものであるため、濾過過程で観察ができないと共に、タンクの容量を確認することもできないため、濾過芯材の交換時期の判断し難く、所定の期間で濾過芯材を交換するしかないことから、非常に不便であり、尚且つ交換作業の時間もかかるので、コストが高かった。
【０００３】
前記の問題を解決するために、その後、観察可能なフィルタ装置が開発され、その構成によれば、タンクがアクリル樹脂からなることから、透視可能であるので、タンクの内部を観察することができる。
【考案の概要】
【考案が解決しようとする課題】
【０００４】
しかしながら、従来の観察可能なフィルタ装置は、アクリル樹脂からなることから、構造の強度が足りなく、濾過時の高圧にも耐えられないため、破損による爆発の可能性もあった。
【課題を解決するための手段】
【０００５】
本考案に係るフィルタ装置は、
上部に上開口が形成され、上面に円環状の結合凹部が凹設され、該上面の外周縁と該結合凹部との間に等間隔で環状に複数の第一固定穴が形成される、第一蓋部材と、
中空状の管体であり、その底周縁が前記結合凹部に嵌め込まれるタンクと、
前記タンクの外周面に環装され、その底周縁が前記結合凹部に嵌め込まれ、複数の観察穴を備える、強化枠と、
中空状の管体であり、前記タンク及び強化枠の上面に組み合わされ、外周面の上端に上凸縁が設けられると共に、外周面の底端に下凸縁が設けられ、該下凸縁の底面に、前記タンクの上周縁及び強化枠の上周縁が嵌め込まれる組合凹部が凹設され、それぞれ前記第一蓋部材の第一固定穴に対応するように、前記組合凹部と介在蓋部材の外周縁との間に等間隔で環状に複数の第二固定穴が形成される、介在蓋部材と、
それぞれ、一方が突出するように第一固定穴に貫設され、その突出した一端に第一蓋部材の底面からナットが螺嵌されると共に、他方が突出するように第二固定穴に貫設され、その突出した他端に介在蓋部材の下凸縁の上面からナットが螺嵌される、複数の固定棒と、
前記タンクに設置される濾過芯材と、
前記介在蓋部材の上凸縁に対応するように、前記介在蓋部材の上側に取り付けられる、第二蓋部材と、を有するものである。
【０００６】
かかるフィルタ装置において、
前記第一蓋部材の結合凹部は、断面Ｕ字形を呈し、該結合凹部の周壁にシ−ルリングが嵌め込まれ、前記タンクの底周縁及び強化枠の底周縁がシ−ルリングと密着するように結合凹部に嵌め込まれ、
前記介在蓋部材の組合凹部は、断面Ｕ字形を呈し、該組合凹部の内壁に密着するようにシールリングが、嵌め込まれ、前記タンクの上周縁及び強化枠の上周縁が、シールリングと密着するように組合凹部に嵌め込まれることが好ましい。
【０００７】
かかるフィルタ装置において、前記第二蓋部材が、介在蓋部材と一体に形成されることが好ましい。
【０００８】
かかるフィルタ装置において、前記第二蓋部材が、間接的に介在蓋部材に取り付けられることが好ましい。
【０００９】
かかるフィルタ装置において、
前記介在蓋部材の上凸縁の上面に接着凹部が、環状に凹設され、
前記介在蓋部材の上凸縁の外周縁近傍に複数の貫通穴が、それぞれ等間隔で環状に形成されることが好ましい。
【００１０】
かかるフィルタ装置において、
前記介在蓋部材と第二蓋部材との間に装着板を設置するために前記第二蓋部材が間接的に介在蓋部材に取り付けられ、
前記装着板は、複数の取付穴と、複数の装着穴と、位置決め部と、密着凹部と、密着リングを備え、そのうち、取付穴は、それぞれ、貫通穴と対応するように形成され、該複数の装着穴は、それぞれ、介在蓋部材の内周縁に囲まれた範囲内に形成され、該位置決め部は、装着板の底面に環状に凸設され、接着凹部に嵌め込まれ、該密着凹部は、装着板の上面の外周縁の近傍に環状に凹設され、該密着リングは、弾性を備え、一部が密着凹部に嵌め込まれると共に、他の一部が密着凹部から突出することが好ましい。
【００１１】
かかるフィルタ装置において、
前記濾過芯材はそれぞれ、一端を介して装着穴に取り付けられると共に、他端に第一蓋部材へ伸びる複数の濾過芯棒が設けられ、
前記第二蓋部材の下部に、前記複数の濾過芯棒の配置範囲よりも大きい下開口が形成され、該第二蓋部材の底縁は、密着リングに押圧されて装着板の上面に貼り付けられ、該第二蓋部材の外周縁の近傍における、取付穴と対応する位置に複数の結合穴が形成されることが好ましい。
【００１２】
かかるフィルタ装置において、複数のボルトを有し、該ボルトは、それぞれ、互いに対応する結合穴と取付穴と貫通穴に貫入され、その突出した下端にナットが螺嵌されることが好ましい。
【考案の効果】
【００１３】
本考案のフィルタ装置は、上述の構造を有することから、以下に示すような効果を有する。
直接に観察が可能：そのタンクが観察可能な材質からなると共に、強化枠に観察穴が形成されていることから、直接にタンクの内部を観察することができる。
構造の強化：その強化枠がタンクの外周面に環装されると共に、複数の固定棒が介在蓋部材及び第一蓋部材を固定することから、強化枠及びタンクを強固に位置決めでき、それにより、濾過過程で高圧を受けても分解することはなくなるので、安全性に優れている。
【図面の簡単な説明】
【００１４】
【図１】本考案に係るフィルタ装置の斜視図である。
【図２】本考案に係るフィルタ装置の分解斜視図である。
【図３】本考案に係るフィルタ装置の側面断面図である。
【図４】本考案に係るフィルタ装置の部分拡大側面断面図である。
【図５】本考案に係るフィルタ装置の使用状態を示す斜視図である。
【考案を実施するための形態】
【００１５】
図１乃至図４に示すように、本考案に係るフィルタ装置は、第一蓋部材１０と、タンク２０と、強化枠３０と、介在蓋部材４０と、複数の固定棒５０と、装着板６０と、濾過芯材７０と、第二蓋部材８０と、複数のボルト９０とを有する。
【００１６】
前記第一蓋部材１０は、上部に上開口が形成され、上面の該上開口の周囲に円環状の結合凹部１２が凹設され、上面の外周縁と該結合凹部１２との間に等間隔で環状に複数の第一固定穴１４が形成される。
前記タンク２０は、中空状を呈し、その底周縁が第一蓋部材１０の結合凹部１２に嵌め込まれ、また、透視可能な管体であるため、その内部の濾過状況を詳しく観察することができる。
尚、前記結合凹部１２は、断面Ｕ字形を呈し、この結合凹部１２の底面及び内壁に密着するようにシ−ルリング１２２が嵌め込まれ、更に、前記タンク２０の底周縁が、シ−ルリング１２２と密着するように結合凹部１２に嵌め込まれることが好ましい。
【００１７】
前記強化枠３０は、タンク２０に環装され、底周縁が第一蓋部材１０の結合凹部１２に嵌め込まれ、周壁に複数の観察穴３２が間隔をおいて形成される。
尚、前記強化枠３０の底周縁は、シ−ルリング１２２と密着するように結合凹部１２に嵌め込まれることが好ましい。
また、前記強化枠３０がタンク２０の外周面に密着するように環嵌されることによって、前記タンク２０の構造を強化すると共に、強化枠３０の複数の観察穴３２からタンク２０の内部を観察することができる。
【００１８】
前記介在蓋部材４０は、中空状の管体であり、タンク２０の上周縁及び強化枠３０の上周縁に組み合わされ、外周面の上端に上凸縁、底端に下凸縁が設けられ、更に、組合凹部４２と、複数の第二固定穴４４と、接着凹部４６と、複数の貫通穴４８とを備え、そのうち、組合凹部４２は、介在蓋部材４０の下凸縁の底面に凹設されるものであり、タンク２０の上周縁及び強化枠３０の上周縁に組み合わされる。
尚、前記組合凹部４２は、断面Ｕ字形を呈し、その上面及び内壁に密着するようにシールリング４２２が嵌め込まれ、タンク２０の上周縁及び強化枠３０の上周縁が、シールリング４２２と密着するように組合凹部４２に嵌め込まれることが好ましい。
このように、前記シ−ルリング１２２及びシールリング４２２を設置することにより、タンク２０及び強化枠３０の上周縁が第一蓋部材１０と、下周縁が介在蓋部材４０と密着するように嵌め込まれる。
【００１９】
前記複数の第二固定穴４４は、それぞれ、第一蓋部材１０の第一固定穴１４に対応するように、組合凹部４２と介在蓋部材４０の外周縁との間に等間隔で環状に形成され、接着凹部４６は、介在蓋部材４０の上凸縁の上面に環状に凹設され、貫通穴４８は、それぞれ、介在蓋部材４０の上凸縁の外周縁近傍に等間隔で環状に形成される。
【００２０】
前記複数の固定棒５０は、それぞれ、一方が突出するように第一固定穴１４に貫設され、その突出した一端に第一蓋部材１０の底面からナット５２が螺嵌されると共に、他方が突出するように第二固定穴４４に貫設され、その突出した他端に介在蓋部材４０の下凸縁の上面からナット５２が螺嵌され、これら複数の固定棒５０によれば、介在蓋部材４０及び第一蓋部材１０を固定することができ、タンク２０及び強化枠３０をさらに強固に位置決めできるので、フィルタの濾過過程において高圧がかかっても破損することはない。
【００２１】
前記装着板６０は、介在蓋部材４０の上面に取り付けられ、複数の取付穴６２と、複数の装着穴と、位置決め部６４と、密着凹部６６と、密着リング６８を備え、そのうち、取付穴６２は、それぞれ、貫通穴４８と対応するように形成され、複数の装着穴は、それぞれ、間隔をおいて介在蓋部材４０の内周縁に囲まれた範囲内に形成され、位置決め部６４は、装着板６０の底面に環状に凸設され、接着凹部４６に嵌め込まれ、密着凹部６６は、装着板６０の上面の外周縁の近傍に環状に凹設され、密着リング６８は、弾性を備え、一部が密着凹部６６に嵌め込まれると共に、他の一部が密着凹部６６から突出する。
【００２２】
前記濾過芯材７０は、タンク２０に設置され、一端を介して装着穴に取り付けられると共に、他端に第一蓋部材１０へ伸びる複数の濾過芯棒７２が設けられ、第二蓋部材８０は、介在蓋部材４０の上凸縁に対応するように、介在蓋部材４０及び装着板６０の上側に取り付けられ、下部に、複数の濾過芯棒７２の配置範囲よりも大きい下開口が形成され、第二蓋部材８０の底縁は、密着リング６８に押圧されて装着板６０の上面に貼り付けられ、第二蓋部材８０の外周縁の近傍における、取付穴６２と対応する位置に複数の結合穴８２が形成される。
尚、第二蓋部材８０は、介在蓋部材４０と一体に形成され、装着板６０を介して間接的に介在蓋部材４０に取り付けられることが好ましい。
また、前記複数のボルト９０は、それぞれ、互いに対応する結合穴８２と取付穴６２と貫通穴４８に貫入され、その突出した下端にナットが螺嵌される。
【００２３】
図５に示すように、本考案のフィルタ装置には、介在蓋部材４０または第二蓋部材８０または第一蓋部材１０に注入管及び排出管が設置され、使用する時は、その注入管から汚れた油を注入し、注入された油は、濾過芯材７０を通って濾過されてから排出管から排出される。
尚、その濾過過程について、使用者は、強化枠３０の観察穴３２からタンク２０の内部を観察することができるので、濾過芯材７０における濾過芯棒７２の交換時点を容易に判断することができる。
【００２４】
上述の構成を有すれば、本考案のフィルタ装置は、以下のメリットを有する。
直接に観察が可能：タンク２０が透視可能な材質からなると共に、強化枠３０に観察穴３２が形成されることから、直接にタンク２０の内部を観察することができる。
構造の強化：その強化枠３０がタンク２０の外周面に環装されると共に、複数の固定棒５０が介在蓋部材４０及び第一蓋部材１０を固定することから、強化枠３０及びタンク２０を強固に位置決めでき、これにより、濾過過程において高圧がかかっても破損することはないので、安全性に優れている。
【符号の説明】
【００２５】
１０   第一蓋部材
１２   結合凹部
１２２ シ−ルリング
１４   第一固定穴
２０   タンク
３０   強化枠
３２   観察穴
４０   介在蓋部材
４２   組合凹部
４２２ シールリング
４４   第二固定穴
４６   接着凹部
４８   貫通穴
５０   固定棒
５２   ナット
６０   装着板
６２   取付穴
６４   位置決め部
６６   密着凹部
６８   密着リング
７０   濾過芯材
７２   濾過芯棒
８０   第二蓋部材
８２   結合穴
９０   ボルト
【図１】
0003206916.tif 000003
【図２】
0003206916.tif 000004
【図３】
0003206916.tif 000005
【図４】
0003206916.tif 000006
【図５】
0003206916.tif 000007